(57)【要約】【課題】  雨に濡れた場合を含め、網戸の通常の使用時には常にフィルターを安定して網戸に取り付けることができる面ファスナーと、室内側からの強風が発生した時には網戸が不用意に窓枠から外れる虞が少なく、簡易に構成することのできるフィルター構造体とを提供する。【解決手段】  フィルター構造体１は、図示しない家屋の窓枠に取り付けられる網戸４と、網戸４の枠体５の外方面に、所定間隔で高耐候性粘着剤を介して貼り付けられた複数の面ファスナー３と、面ファスナー３を介して取り付けられ、網戸４の外面全面を覆う不織布よりなるフィルター２とから構成されている。このようにして構成すると、雨に濡れた場合もフィルターの取付状態の安定性が向上し、又、室内側からの強風が発生しても網戸が不用意に窓枠から外れる虞が減少する。【選択図】  図１
2017127485.tif 000002
【特許請求の範囲】
【請求項１】
網戸の枠体の外方面に固定され、前記網戸の網体全面を覆う不織布よりなるフィルターの取り付けに用いられる面ファスナーであって、
シート状のベース体と、
前記ベース体の一方面に形成され、前記フィルターが取り付けられる多数の雄型係合素子と、
前記ベース体の他方面の一部又は全部に塗布され、前記枠体に貼り付けられる高耐候性粘着剤とを備えた、面ファスナー。
【請求項２】
網戸の枠体の外方面に固定され、前記網戸の網体全面を覆う不織布よりなるフィルターの取り付けに用いられる面ファスナーであって、
その一方面に形成され、前記フィルターが取り付けられる多数の雄型係合素子を有するベース体と、
前記ベース体の他方面の一部又は全部に第１の高耐候性粘着剤を介して固着された平滑なシートと、
前記シートの前記ベース体と固着された面とは反対側の面の一部又は全部に塗布された第２の高耐候性粘着剤とを備えた、面ファスナー。
【請求項３】
フィルター構造体であって、
窓枠に取り付けられる網戸と、
前記網戸の枠体の外方面に、所定間隔で張り付けられた複数の面ファスナーと、
前記面ファスナーを介して取り付けられ、前記網戸の外面全面を覆う不織布よりなるフィルターとを備え、
前記網戸側から前記フィルターに加わる空気圧が特定量に増加した時、前記網戸が前記窓枠から外れる前に隣接する前記面ファスナーの各々の間に位置する前記フィルターの部分が所定量の浮幅だけ撓んで前記空気圧の作用を抑制するように前記所定間隔が設定される、フィルター構造体。
【請求項４】
前記所定間隔の最小値は、前記特定量の空気圧が加わった時、前記浮幅が５ｍｍ以上となるように設定される、請求項３記載のフィルター構造体。
【請求項５】
前記所定間隔の最大値は、前記特定量の空気圧が加わった時、前記浮幅が４０ｍｍ以下となるように設定される、請求項４記載のフィルター構造体。
【請求項６】
前記所定間隔の前記最小値は、０．５ｃｍであり、前記所定間隔の前記最大値は、７５ｃｍである、請求項５記載のフィルター構造体。
【請求項７】
前記面ファスナーは、請求項１又は請求項２記載の面ファスナーである、請求項３から請求項６のいずれかに記載のフィルター構造体。
【発明の詳細な説明】
【技術分野】
【０００１】
この発明は面ファスナー及びフィルター構造体に関し、特に、網戸の枠体の外方面に固定され網戸の網体全面を覆うフィルターの取り付けに用いられる面ファスナー、及び網戸に対して汚れ防止用のフィルターを取り付けてなるフィルター構造体に関するものである。
【背景技術】
【０００２】
従来、家屋の窓に設置された網戸の汚れを防ぐために、網戸に対して着脱可能に取り付けられる網戸フィルターカバーが存在する。
【０００３】
図６は特許文献１に開示された、従来の網戸フィルターカバーの外観を示す斜視図である。
【０００４】
図を参照して、まず、網戸７４は、図示しない家屋の窓に設けられ、その周縁を枠体７５によって固定されている。枠体７５は、例えばアルミニウム製であって、形状の安定した正面視矩形の枠であり、後述する網戸フィルターカバー７１と対向する面（外方面）の周縁全周には、面接合ファスナー７３ａが取り付けられている。面接合ファスナー７３ａは、後述する面接合ファスナー７３ｂとの面接合において容易に取り付け取り外しができるものであれば特に限定されていない。
【０００５】
次に、網戸フィルターカバー７１は、通気性素材７２と面接合ファスナー７３ｂとから主に構成されている。通気性素材７２は、例えば不織布からなるフィルターであり、通気性に優れ且つ塵や埃を通しにくい。網戸フィルターカバー７１の網戸７４に対向する面の周縁には、上記の面接合ファスナー７３ａと対応した位置に面接合ファスナー７３ｂが取り付けられている。又、面接合ファスナー７３ａ、７３ｂは、その一方が雄型係合素子を有し、他方が雌型係合素子を有する。そのため、図の一点鎖線で描いた矢印で示すように、網戸フィルターカバー７１を網戸７４に押し付けることで取り付けることができる。
【０００６】
網戸にフィルターを取り付ける方法としては、２種の面接合ファスナーを用いる上記の実施の形態の他、フィルターの周縁に両面粘着テープを貼付するもの、網戸の網目にピン状部材を差し入れてフィルターを固定するもの、網戸枠端面（レールを挟み込む部位）に発泡素材を挟み込んでフィルターを取り付けるもの、網戸の網体を取り付けているゴム枠を利用してフィルターを取り付けるもの等が存在する。
【０００７】
このように網戸に網戸フィルターカバーを取り付けることによって、通気性を保ちつつ微細な塵や埃、虫の死骸等が網戸の網目から室内に入り込むのを防ぐ。
【先行技術文献】
【特許文献】
【０００８】
【特許文献１】登録実用新案第３０３４４５５号公報
【発明の概要】
【発明が解決しようとする課題】
【０００９】
上述した従来の網戸フィルターカバーにあっては、網戸の汚れ防止という目的を達成するため、網戸の使用時にはフィルターが網戸に常時貼り付いている必要がある。
【００１０】
しかしここで、人が部屋に入るためにドアを内方に開けた場合等に、室内側から室外側へと向かう強風が発生し、網戸に対して室内側からの強風が当たることがある。このとき、従来の網戸フィルターカバーにあっては、網戸に貼り付いているフィルターが強風に直接的に衝突してしまい、フィルターが貼り付いている網戸から強風による空気圧を逃がすことができないため、その空気圧によりフィルターが剥がれることなく網戸全体が不用意に窓枠から外れてしまう問題が発見された。特許文献１には、面接合ファスナー等を枠体の周縁の全周ではなく一部に設けるものなど他の実施の形態も開示されているが、上記の問題を解決するような観点での網戸フィルターカバーの具体的な態様については従来技術には見当たらない。
【００１１】
又、フィルターの周縁に両面粘着テープを貼付するものにあっては、外方から雨等に当たり濡れた場合に、粘着力が著しく減少しフィルターが剥がれる問題があった。
【００１２】
更に、網戸の網体にピン状部材を差し入れてフィルターを固定するものにあっては、室内側からの風が発生する環境で継続使用しているとフィルターや網戸が破れてしまう問題があった。
【００１３】
更に、網戸枠端面（レールを挟み込む部位）に発泡素材を挟み込んでフィルターを取り付けるものや網戸の網目を取り付けているゴム枠を利用してフィルターを取り付けるものにあっては、網戸を一度取り外してからフィルターを取り付けなければならない等、取付方法が簡単ではなかった。
【００１４】
この発明は、上記のような課題を解決するためになされたもので、雨に濡れた場合を含め、網戸の通常の使用時には常にフィルターを安定して網戸に取り付けることができる面ファスナーと、室内側からの強風が発生した時には網戸が不用意に窓枠から外れる虞が少なく、簡易に構成することのできるフィルター構造体とを提供することを目的とする。
【課題を解決するための手段】
【００１５】
上記の目的を達成するために、請求項１記載の発明は、網戸の枠体の外方面に固定され、網戸の網体全面を覆う不織布よりなるフィルターの取り付けに用いられる面ファスナーであって、シート状のベース体と、ベース体の一方面に形成され、フィルターが取り付けられる多数の雄型係合素子と、ベース体の他方面の一部又は全部に塗布され、枠体に貼り付けられる高耐候性粘着剤とを備えたものである。
【００１６】
このように構成すると、フィルターが取り付けられるベース体は、高耐候性粘着剤を介して網戸の枠体に貼着される。
【００１７】
請求項２記載の発明は、網戸の枠体の外方面に固定され、網戸の網体全面を覆う不織布よりなるフィルターの取り付けに用いられる面ファスナーであって、その一方面に形成され、フィルターが取り付けられる多数の雄型係合素子を有するベース体と、ベース体の他方面の一部又は全部に第１の高耐候性粘着剤を介して固着された平滑なシートと、シートのベース体と固着された面とは反対側の面の一部又は全部に塗布された第２の高耐候性粘着剤とを備えたものである。
【００１８】
このように構成すると、フィルターが取り付けられるベース体は、シート及び高耐候性粘着剤を介して網戸の枠体に貼着される。
【００１９】
請求項３記載の発明は、フィルター構造体であって、窓枠に取り付けられる網戸と、網戸の枠体の外方面に、所定間隔で張り付けられた複数の面ファスナーと、面ファスナーを介して取り付けられ、網戸の外面全面を覆う不織布よりなるフィルターとを備え、網戸側からフィルターに加わる空気圧が特定量に増加した時、網戸が窓枠から外れる前に隣接する面ファスナーの各々の間に位置するフィルターの部分が所定量の浮幅だけ撓んで空気圧の作用を抑制するように所定間隔が設定されるものである。
【００２０】
このように構成すると、部屋側からの空気圧の増加による網戸に加わる力が軽減される。
【００２１】
請求項４記載の発明は、請求項３記載の発明の構成において、所定間隔の最小値は、特定量の空気圧が加わった時、浮幅が５ｍｍ以上となるように設定されるものである。
【００２２】
このように構成すると、フィルターの撓んだ部分から空気が排出される。
【００２３】
請求項５記載の発明は、請求項４記載の発明の構成において、所定間隔の最大値は、特定量の空気圧が加わった時、浮幅が４０ｍｍ以下となるように設定されるものである。
【００２４】
このように構成すると、フィルターと枠体との間を通過する空気の量が制限される。
【００２５】
請求項６記載の発明は、請求項５記載の発明の構成において、所定間隔の最小値は、０．５ｃｍであり、所定間隔の最大値は、７５ｃｍであるものである。
【００２６】
このように構成すると、特定量の空気圧が加わった時、所定量が５〜４０ｍｍとなる。
【００２７】
請求項７記載の発明は、請求項３から請求項６のいずれかに記載の発明の構成において、面ファスナーは、請求項１又は請求項２記載の面ファスナーであるものである。
【００２８】
このように構成すると、部屋側からの空気圧の増加による網戸に加わる力が軽減されると共に、フィルターが取り付けられるベース体は、高耐候性粘着剤を介して網戸の枠体に貼着される。
【発明の効果】
【００２９】
以上説明したように、請求項１記載の発明は、フィルターが取り付けられるベース体は、高耐候性粘着剤を介して網戸の枠体に貼着されるため、雨に濡れたときのフィルターの取付状態の安定性が向上する。
【００３０】
請求項２記載の発明は、フィルターが取り付けられるベース体は、シート及び高耐候性粘着剤を介して網戸の枠体に貼着されるため、雨に濡れたときのフィルターの取付状態の安定性がより向上する。又、シートの剛性により使用勝手が向上する。
【００３１】
請求項３記載の発明は、部屋側からの空気圧の増加による網戸に加わる力が軽減されるため、網戸が不用意に窓枠から外れる虞が減少する。
【００３２】
請求項４記載の発明は、請求項３記載の発明の効果に加えて、フィルターの撓んだ部分から空気が排出されるため、空気圧の上昇を緩和する。
【００３３】
請求項５記載の発明は、請求項４記載の発明の効果に加えて、フィルターと枠体との間を通過する空気の量が制限されるため、フィルター効果を維持できる。
【００３４】
請求項６記載の発明は、請求項５記載の発明の効果に加えて、特定量の空気圧が加わった時、所定量が５〜４０ｍｍとなるため、効率的な取付状態となる。
【００３５】
請求項７記載の発明は、請求項３から請求項６のいずれかに記載の発明の効果に加えて、部屋側からの空気圧の増加による網戸に加わる力が軽減されると共に、フィルターが取り付けられるベース体は、高耐候性粘着剤を介して網戸の枠体に貼着されるため、雨に濡れたときのフィルターの取付状態の安定性の向上と、網戸が不用意に窓枠から外れる虞の減少とを両立できる。
【図面の簡単な説明】
【００３６】
【図１】この発明の実施の形態によるフィルター構造体の全体構造を示す概略正面図である。
【図２】図１で示したＸ部分の拡大概略斜視図である。
【図３】図１で示したＩＩＩ−ＩＩＩラインの拡大概略断面図である。
【図４】この発明のフィルター構造体による実施例１の様子を示す概略斜視図である。
【図５】この発明のフィルター構造体による実施例２及び実施例３の様子を示す概略正面図であって、（１）は間隔が相対的に大きいものであり、（２）は間隔が相対的に小さいものである。
【図６】従来の網戸フィルターカバーの外観を示す斜視図である。
【発明を実施するための形態】
【００３７】
図１はこの発明の実施の形態によるフィルター構造体の全体構造を示す概略正面図である。又、図２は図１で示したＸ部分の拡大概略斜視図である。
【００３８】
まず図１を参照して、フィルター構造体１は、図示しない家屋の窓枠に取り付けられる網戸４と、網戸４の枠体５の外方面に、所定間隔で貼り付けられた複数の面ファスナー３と、面ファスナー３を介して取り付けられ、網戸４の外面全面を覆う不織布よりなるフィルター２とから構成されている。
【００３９】
フィルター２は例えばポリエステル繊維の不織布であって、取り付ける網戸４の枠体５の外延とほぼ同じ大きさであり、ＪＩＳ  Ｌ  １０９６  Ａ法（フラジール形法）における通気量（ｃｃ／ｃｍ２・ｓｅｃ）が８００以上３５００以下であることが好ましい。通気量が上記範囲内であれば、通気性を保ちつつ、網戸の汚れ防止としてのフィルター効果と、強風に対する適度な撓み効果を両立することができる。
【００４０】
又、フィルター２の製法はクロスウェブであるものの方が、パラレルであるものよりも好ましい。クロスウェブであるものの方が、フィルター２を面ファスナー３に対して複数回の取り付け及び取り外しを行った際の耐久性が相対的に高いものとなる。
【００４１】
網戸４及び枠体５は、図６で示した網戸７４及び枠体７５と同様であるためその説明を繰り返さない。尚、網戸は１８メッシュの標準品を使用している。
【００４２】
次に図２を参照して、面ファスナー３は、その一方面に、フィルター２が取り付けられる多数の雄型係合素子９が形成されたベース体８と、ベース体８の他方面の全部に第１の高耐候性粘着剤１０を介して固着された平滑なシート１１と、シート１１のベース体８と固着された面とは反対側の面の全部に塗布された第２の高耐候性粘着剤１２とから構成されている。
【００４３】
ベース体８は例えばポリエステルからなり、例えば縦１０ｍｍ、横２０ｍｍの矩形のシート形状である。
【００４４】
雄型係合素子９は、例えば鉤型であり、フィルター２と係合する。この係合は物理的なものであり、雨等によってフィルター２及び雄型係合素子９が濡れた場合にも弱まることがない。
【００４５】
高耐候性粘着剤１０、１２は、例えばアクリル系粘着剤であり、屋外で使用された場合にも変形や変質等の品質劣化を起こしにくい。又、その粘着力は枠体５に対して面ファスナー３を人の手により容易に取り付け及び取り外しすることができるものである。尚、第１の高耐候性粘着剤１０の方が第２の高耐候性粘着剤１２よりも粘着強度が高いことが好ましい。そうであれば、面ファスナー３を枠体５に対して取り付け及び取り外しする際に、不用意にベース体８とシート１１とが剥離する虞が減少する。
【００４６】
シート１１は、例えばポリエチレンテレフタレート（ＰＥＴ）からなり、ベース体８よりも剛性が高く平滑な形状を保持することにより、平滑な枠体５外方面に対して密着性が高まるため、面ファスナー３の取付状態の安定性が向上すると共に、取扱い時の使用勝手が向上する。又、シート１１はベース体８よりも若干大きくすることで、ベース体８のシート１１に対する位置決めが容易になると共に、面ファスナー３の取付状態の安定性がより向上する。
【００４７】
このようにして構成される面ファスナー３は、雨等によって濡れた場合にもフィルター２に対する係合が弱まることがなく、取付状態の安定性が向上する。
【００４８】
次に、戻って図１を併せて参照して、枠体５の外方面には複数の面ファスナー３が所定間隔で貼り付けられる。ここで、間隔とは、隣接する面ファスナーの各々の端部の、網戸４の枠体５が走る方向と平行な方向における最短距離を意味する。そして、所定間隔とは、後述する所定範囲内にある間隔のことを意味する。この隣接する面ファスナー間において、室内側（網戸側）からの強風がフィルター構造体１に当たった時に、フィルター２が外方に撓んで浮幅が発生し、その浮幅から強風による通気の一部が排出される。尚、隣接する面ファスナー同士が極端に近い場合には、間隔は生じておらず連続した一つの面ファスナーであるものとする。
【００４９】
ここで、浮幅について説明する。
【００５０】
図３は図１で示したＩＩＩ−ＩＩＩラインの拡大概略断面図であり、室内側からの強風が当たっている状態を示す。
【００５１】
図を参照して、矢印で示すような室内側からの強風により、フィルター２は、面ファスナー３と係合している部分を除き、外方に撓む。このときの、一点鎖線で示すような通常のフィルター２の貼り付いている状態に対して、撓んだ部分の枠体５から垂直方向の最大距離（図のＨ）がフィルターの浮幅としている。
【００５２】
そして、面ファスナーの間隔が大きいほどフィルターの浮幅は大きくなる。そのため、フィルター構造体１の強風への対応という課題を解決するためには、設定される所定間隔が重要となる。
【００５３】
間隔は、最小値として隣接する面ファスナー同士が最も近い箇所において０．５ｃｍ未満であると、室内側からの強風がフィルター構造体１に当たった時にフィルター２の浮幅が５ｍｍ未満となり、風が浮幅から排出されにくくなり、フィルター２に直接的に衝突してしまうため網戸４が不用意に窓枠から外れる虞がある。又、最大値として隣接する面ファスナー同士が最も遠い箇所において７５ｃｍ超であると、室内側からの強風がフィルター構造体１に当たった時にフィルター２の浮幅が４０ｍｍ超となり、強風が消滅した後にフィルター２に撓みが残留してしまい、撓みの隙間から外気が直接浸入し、そのフィルター効果が劣化してしまう。
【００５４】
そのため、所定間隔は、最小値が０．５ｃｍであることが好ましく、最大値が７５ｃｍであることが好ましい。上記範囲内に所定間隔を設定すれば、上記特定量の空気圧に対してフィルター２が面ファスナー３との係合箇所を除いて外方に撓み、その撓んだ部分から空気が排出されるためフィルター２に対する空気圧の上昇を緩和することができる。又、フィルター２と枠体５との間を通過する空気の量が制限されることとなるため、フィルター２に撓みが残留することがなくそのフィルター効果を維持することができる。
【００５５】
この実施の形態によるフィルター構造体１にあっては、網戸４側からフィルター２に加わる空気圧が特定量に増加した時、網戸４が窓枠から外れる前に隣接する面ファスナー３の各々の間に位置するフィルター２の部分が所定量の浮幅だけ撓んで空気圧の作用を抑制するように所定間隔が設定される。これによって、室内側からの空気圧の増加による網戸に加わる力が軽減されるため、網戸が不用意に窓枠から外れる虞が減少する。尚、特定量とは、従来の網戸フィルターカバー（網戸の枠体の周縁全周でフィルターを固定したもの）であれば網戸が窓枠から外れるような強度の室内側からの風がフィルター構造体１に当たった時のフィルター２に加わる空気圧の量を意味する。又、フィルター２の所定量の浮幅とは、上述したように網戸４側からフィルター２に特定量の空気圧が加わった時、面ファスナー３の各々の間に位置するフィルター２の部分の浮幅を指し、主に面ファスナー３の各々の間隔によって決定される。
【００５６】
次に、フィルター構造体１を構成する際の方法について説明する。
【００５７】
まず、網戸４の枠体５の外方面の四隅に面ファスナー３を高耐候性粘着剤１２によって貼り付ける。次に、上記所定間隔を設けて面ファスナー３の各々を貼り付ける。そして、フィルター２を網戸４の外面全面を覆うように面ファスナー３の雄型係合素子９によって取り付けることで、フィルター構造体１は簡易に構成することができる。
【００５８】
このようにして構成されるフィルター構造体１にあっては、フィルター２を面ファスナー３によって取り付けているため、雨に濡れたときもフィルター２の取付状態の安定性が向上する。又、室内側からの強風が発生したとき、フィルター２が撓むことで空気が排出されるため、網戸４が不用意に窓枠から外れる虞が減少する。
【００５９】
尚、上記の実施の形態では、フィルターはポリエステル繊維からなるが、他の素材からなるものであっても良い。例えば、レーヨン、アクリル、ＰＥＴ、又はこれらの混合素材が挙げられる。
【００６０】
又、上記の実施の形態では、面ファスナーは雄型係合素子、ベース体、第１の高耐候性粘着剤、シート及び第２の高耐候性粘着剤から構成されるが、雄型係合素子、ベース体及び高耐候性粘着剤から構成されるものでも、雨に濡れたときのフィルターの取付状態の安定性は向上する。
【００６１】
更に、上記の実施の形態では、シートはＰＥＴからなるが、他の素材からなるものであっても良い。又、シートはベース体よりも若干大きいが、ベース体とほぼ同じ大きさでも良いし、ベース体より小さくても良い。
【００６２】
更に、上記の実施の形態では、高耐候性粘着剤はアクリル系粘着剤であるが、手の押圧により容易に粘着すると共に特定量の空気圧がフィルターに加わった時に剥がれないものであれば、他の素材からなるものであっても良い。
【００６３】
更に、上記の実施の形態では、面ファスナーは縦１０ｍｍ、横２０ｍｍの矩形シート形状であるが、他の大きさ又は他の形状であっても良い。例えば、直径１０ｍｍの円形シート形状が挙げられる。
【００６４】
更に、上記の実施の形態では、ベース体及びシートの特定面の全部に高耐候性粘着剤が塗布されているが、一部に高耐候性粘着剤が塗布されているものでも良い。
【００６５】
更に、上記の実施の形態では、雄型係合素子は鉤型のものが使われているが、他の形状のものでも良い。例えば、矢じり型、きのこ型が挙げられる。
【００６６】
更に、上記の実施の形態では、複数の面ファスナー同士が等間隔に取り付けられているが、等間隔でなくても良い。即ち、間隔のそれぞれが所定範囲内にあれば良い。
【００６７】
更に、上記の実施の形態では、フィルター構造体に特定の面ファスナーが用いられているが、他の面ファスナーであっても良い。
【００６８】
更に、上記の実施の形態では、網戸は１８メッシュの標準品を使用しているが、他のメッシュの網戸でもその通気抵抗を考慮すれば同様に適用できる。
【００６９】
更に、上記の実施の形態では、特定のフィルターを使用しているが、他のフィルターを使用しても良い。その場合、フィルターの素材、目付等によってその撓み剛性が変わるため、同様の浮幅を確保するように所定間隔を設定すれば同様の効果を奏する。
【実施例１】
【００７０】
以下、本発明に係るフィルター構造体について具体的に説明する。尚、本発明は以下に示す実施例（［実施例１〜３］）に限定されるものではない。
【００７１】
図４はこの発明のフィルター構造体による［実施例１］の様子を示す概略斜視図である。
【００７２】
図を参照して、フィルター構造体１の網戸４の枠体５の大きさは、縦（長手方向）１８０ｃｍ、横（短手方向）９０ｃｍである。その内方面（フィルター２を貼り付ける方向とは反対側の面）には、プラスチックダンボール製の仕切板１５ａ、１５ｂ（縦１８０ｃｍ、横９０ｃｍ、厚み４ｍｍ）を左右に１枚ずつ立て、その上部に仕切板１５ｃ（縦４５ｃｍ、９０ｃｍ）を２枚に架け渡すように設置した。仕切板１５とフィルター構造体、又、仕切板１５同士はビニールテープを用いて固定した。
【００７３】
そして、フィルター構造体１において、フィルター２を取り付けるための構成を変更させた４種類の例（実施例１−１、１−２及び比較例１−１、１−２）を用意し、それぞれにおけるフィルターの固定力を４種類の条件で風を当てることで測定する実験Ａ〜Ｄを行った。
【００７４】
各実験に用いた４種類のフィルター構造体の取付構成は以下の表の通りである。
【００７５】
【表１】
2017127485.tif 000003
表１に示す通り、実施例１−１は、ベース体の一方面に形成された鉤型の雄型係合素子によってフィルターと係合され、ベース体の他方面に塗布されたアクリル系粘着剤によって網戸の枠体に貼着される面ファスナーを用いたものである。この面ファスナーの大きさは、枠体の長手方向を縦として、縦１０ｍｍ、横２０ｍｍである。この面ファスナーを、枠体の四隅と、枠体の外方面の長手方向に５個（各４５ｃｍ間隔）、短手方向に３個（各４５ｃｍ間隔）存在するように全周に貼り付け（計１２個）、この上にフィルターを取り付けることで実施例１−１のフィルター構造体を構成した。
【００７６】
実施例１−２は、ベース体の一方面に形成された鉤型の雄型係合素子によってフィルターと係合され、ベース体の他方面に塗布されたアクリル系粘着剤によって平滑なシートと固着され、平滑なシートのベース体の存在する方向とは反対側の面に塗布されたアクリル系粘着剤によって網戸の枠体に貼着される面ファスナーを用いたものである。面ファスナーの大きさ及び設置の間隔は実施例１−１と同様にして、実施例１−２のフィルター構造体を構成した。
【００７７】
比較例１−１は、フィルターの一方面の周縁全周に塗布されたウレタン系粘着剤により網戸の枠体に貼着されることでフィルター構造体が構成されたものである。
【００７８】
比較例１−２は、両面にアクリル系粘着剤が塗布された平滑なシートを用いたものである。シートの一方面においてフィルターに貼り付けられ、他方面において網戸の枠体に貼り付けられる。シートを枠体の外方面の周縁全周に取り付け、フィルターを取り付けることで比較例１−２のフィルター構造体を構成した。
【００７９】
尚、フィルターは各実験において通気量（ｃｃ／ｃｍ２・ｓｅｃ）が８０８のものを用いた。
【００８０】
実験Ａ〜Ｄでは、株式会社ナカトミ製の扇風機「１００ｃｍビックファン」（品番：ＢＦ−１００Ｖ）を用いた。風速１７１ｍ／ｍｉｎ、風量５１６ｍ３／ｍｉｎの風を図４に示した各方向においてフィルター構造体から１ｍ離した状態で発生させ、その風を１分間フィルター構造体に当てた。
【００８１】
実験Ａでは、フィルターが乾いた状態で、図４に示した（Ａ、Ｄ）の矢印で示すように、フィルター構造体の網戸側から風を当てた。これは、網戸側からフィルターに加わる空気圧が特定量に増加した時の状態、即ち従来の網戸フィルターカバー（網戸の枠体の周縁全周でフィルターを固定したもの）であれば網戸が窓枠から外れるような強度の室内側からの風に相当する。
【００８２】
実験Ｂでは、フィルターが乾いた状態で、図４に示した（Ｂ）の矢印で示すように、フィルター構造体の左右側から風を当てた。
【００８３】
実験Ｃでは、フィルターが乾いた状態で、図４に示した（Ｃ）の矢印で示すように、フィルター構造体のフィルター側から風を当てた。
【００８４】
実験Ｄでは、フィルターの周縁全周に対して外方から霧吹きで水を吹きかけ、フィルターが濡れた状態で、図４に示した（Ａ、Ｄ）の矢印で示すように、フィルター構造体の網戸側から風を当てた。これは、フィルター構造体が雨に濡れた場合の、網戸側からフィルターに加わる空気圧が特定量に増加した時の状態に相当する。
【００８５】
結果は以下の表のようになった。
【００８６】
【表２】
2017127485.tif 000004
尚、表データ中の○はフィルターが剥がれなかったことを示し、×はフィルターの一部に剥がれが生じたことを示す。又、総合評価中の○は実験Ａ〜Ｄの全てにおいてフィルターが剥がれず優秀であったことを示し、×は実験Ａ〜Ｄのいずれかにおいてフィルターに剥がれが生じ不適であったことを示す。
【００８７】
表２に示す通り、実施例１−１及び実施例１−２（各構成の面ファスナーを用いたもの）では、フィルターが濡れた状態（雨に濡れた状態に相当する。）を含め、網戸側（室内側）からの強風に対してもフィルターが剥がれることのない十分な固定力を持つことがわかった。
【実施例２】
【００８８】
図５の（１）はこの発明のフィルター構造体による［実施例２］の様子を示す概略正面図である。
【００８９】
［実施例２］は、フィルターの種類と面ファスナーの個数の組み合わせの条件を８種類（実施例２−１〜２−３、比較例２−１及び参考例２−１〜２−４）用意し、室内側からの強風に対する好適な条件を調べたものである。
【００９０】
各例におけるフィルターは以下の表の通りである。
【００９１】
【表３】
2017127485.tif 000005
尚、材質について、実施例２−１〜２−３、比較例２−１及び参考例２−１、２−２は、ポリエステル繊維からなる不織布である。参考例２−３は、レーヨン及びアクリルからなる不織布である。参考例２−４は、ＰＥＴとポリエチレンの混合不織布である。
【００９２】
網戸、枠体及び面ファスナーは［実施例１］における実施例１−２と同様のものを用いた。
【００９３】
各例におけるフィルター構造体に対して、［実施例１］の実験Ａと同様の条件で網戸側からの強風を当てた。
【００９４】
各例の条件と結果は以下の表のようになった。
【００９５】
【表４】
2017127485.tif 000006
面ファスナーの個数は、枠体の長手方向の一方における面ファスナーの個数を示す。５個の場合は、枠体の長手方向に５個（各４５ｃｍ間隔）、短手方向に３個（各４５ｃｍ）設置した。４個の場合は、図５の（１）に示すように、枠体の長手方向に４個（約５０ｃｍ、７５ｃｍ及び約５０ｃｍ間隔）、短手方向に３個（各４５ｃｍ間隔）設置した。即ち、複数の面ファスナー同士の間隔の最大値は図のＷ１で示す部分であり７５ｃｍであった。３個の場合は、枠体の長手方向に３個（各９０ｃｍ間隔）、短手方向に３個（各４５ｃｍ間隔）設置した。
【００９６】
浮幅（ｍｍ）は、網戸側からの強風を当てた時の各面ファスナーの間隔における各々のフィルターの浮幅のうち最大のものである。
【００９７】
浮幅の評価は、フィルターの撓んだ部分から空気が排出されることで網戸が仕切板（窓枠に相当する。）から外れる虞が無いものを○、強風を止めた後も撓みが残留してしまい、その撓みの隙間から外気が直接浸入するようになるため、そのフィルター効果が劣化してしまったものを×とした。
【００９８】
取付／取外しの耐久性は、面ファスナーをフィルターに対して複数回取り付け及び取り外しした際にフィルターの一部に破れが生じなかったものを○、破れが生じたものを×とした。
【００９９】
表４に記載の結果から、フィルターの通気量よりも面ファスナーの個数（間隔）によってフィルターの浮幅が大きく変化し、面ファスナーの個数が少ない（間隔が大きい）ものほど浮幅が大きくなった。
【０１００】
又、間隔が７５ｃｍ（実施例２−２）以下であれば浮幅が４０ｍｍ以下となり撓みの残留は発生しなかった。
【０１０１】
更に、取り付け及び取り外しの耐久性は、クロスウェブの方がパラレルよりも優秀であった。
【０１０２】
更に、参考例２−１〜２−４は、浮幅の評価について優秀である。
【実施例３】
【０１０３】
複数の面ファスナー同士の間隔の大小が空気の排出及び撓みの残留についてもたらす影響について調べる実験を行った。
【０１０４】
図５はこの発明のフィルター構造体による［実施例３］の様子を示す概略正面図であって、（２）は面ファスナーの個数が１００個のものである。
【０１０５】
この実施例において、網戸及び枠体は、縦（長手方向）２００ｃｍ、横（短手方向）９０ｃｍのものを用いた。
【０１０６】
面ファスナーは［実施例１］における実施例１−２と同様のものを用いた。
【０１０７】
フィルターは［実施例２］における実施例２−１と同様のものを用いた。
【０１０８】
各例におけるフィルター構造体に対して、［実施例１］の実験Ａと同様の条件で網戸側からの強風を当てた。
【０１０９】
各例における条件と結果は以下の表のようになった。
【０１１０】
【表５】
2017127485.tif 000007
面ファスナーの個数は、枠体の長手方向の一方における面ファスナーの個数を示す。［実施例３］においては、面ファスナーは長手方向と短手方向において共に一定間隔に設置した。即ち、複数の面ファスナーの各々の間隔を示す間隔（ｃｍ）は、面ファスナーの個数に対応しており、表中の数字となる。
【０１１１】
風の排出は、網戸側からの風に対してフィルターの撓んだ部分から空気が排出され、網戸が仕切板から外れる虞の無かったものを○、外れたものを×とした。
【０１１２】
撓みの残留は、風を止めた後にフィルターに撓みが残留しなかったものを○、撓みが残留したものを×とした。
【０１１３】
表５の結果から、間隔が０．５ｃｍ以上６５．３ｃｍ以下であれば、強風に対してフィルターの撓んだ部分から空気が排出され網戸が仕切板（窓枠）から外れる虞が減少し、又、撓みの残留が発生せずフィルター効果の劣化を防止することができることがわかった。尚、［実施例２］において間隔は７５ｃｍにおいても同様の効果を奏することがわかっている。したがって、複数の面ファスナーを貼り付ける所定間隔は、その最小値が０．５ｃｍであり、最大値が７５ｃｍであれば良い。
【符号の説明】
【０１１４】
１…フィルター構造体
２…フィルター
３…面ファスナー
４…網戸
５…枠体
８…ベース体
９…雄型係合素子
１０、１２…高耐候性粘着剤
１１…シート
尚、各図中同一符号は同一又は相当部分を示す。
【図１】
2017127485.tif 000008
【図２】
2017127485.tif 000009
【図３】
2017127485.tif 000010
【図４】
2017127485.tif 000011
【図５】
2017127485.tif 000012
【図６】
2017127485.tif 000013